(57)【特許請求の範囲】
【請求項１】
少なくともブレーキ圧が所定値未満になることを再始動条件とし、該再始動条件の成立によりエンジンを再始動するアイドルストップ車の制御装置であって、
エンジンを再始動する際に車輪にブレーキ力を付与するブレーキ制御手段を備え、
前記ブレーキ制御手段は、エンジンを再始動する際に、ブレーキペダルが踏み込まれており、かつ、前記ブレーキ圧が前記所定値未満であって、エンジン回転数が所定回転数以上であれば、前記ブレーキ力の付与を所定期間延長し、ブレーキペダルが踏み込まれていなければ、前記ブレーキ力の付与を延長しないことを特徴とするアイドルストップ車の制御装置。
【発明の詳細な説明】
【技術分野】
【０００１】
この発明は、アイドルストップ車の制御装置に関し、詳しくは、自動停止したエンジンが再始動されて再発進する際の低コストの制御の向上に関する。
【背景技術】
【０００２】
従来、アイドルストップ車においては、ブレーキペダルが踏まれている等の所定の停止条件が成立することを条件にエンジンを自動停止して走行を停止し、その後、一般的には、ブレーキペダルからアクセルペダルに踏み替えられる等の所定の再始動条件が成立することを条件にエンジンを自動的に再始動して再発進するものであるが、エンジンの自動停止を、ブレーキ機構の液圧（マスタシリンダ圧）が自動停止の基準圧を超えることを条件として行ない、エンジンの再始動を、ブレーキ機構の液圧が再始動の基準圧を下回ることを条件に行なうことが提案されている（例えば、特許文献１参照）。また、エンジンの再始動に関しては、基本的にはドライバが再発進することを目的としてブレーキペダルからアクセルペダルに踏み替えることでエンジンを再始動するが、ドライバは再発進することを目的としていないが特定条件（バッテリ容量が所定値以下になったこと）に該当することによってもエンジンを再始動し、その際には再始動によるクリープ力を考慮して車輪ホールド手段による制動力の保持（ヒルスタートに相当）を継続することも提案されている（例えば、特許文献２参照）。
【先行技術文献】
【特許文献】
【０００３】
【特許文献１】特開平１１−１７０３７８号公報
【特許文献２】特開平１１−３４８６０７号公報
【発明の概要】
【発明が解決しようとする課題】
【０００４】
特許文献１に記載のようにブレーキ機構の液圧変化に基づいて、すなわち、ブレーキ圧（マスタシリンダ圧）の変化に基づいて、エンジンの自動停止及び再始動を行なう場合、エンジンの自動停止や再始動は条件が簡易で迅速に行なえ、再始動時には不要なブレーキ力の付与がなく迅速に発進できる。しかしながら、再始動については、ドライバによっては車両が自動停止した後、ブレーキペダルの踏み込みを緩和してブレーキ力を小さくすることがあり、このようなブレーキペダルの踏み込みの緩和に伴うブレーキ力の低下（減少）があると、ブレーキ機構の液圧（ブレーキ力）が再始動の基準圧を容易に下回り、ドライバが意図しないにもかかわらずエンジンが不意に再始動されて車両が動き出し、ドライバにいわゆる飛び出し感を与える問題がある。
【０００５】
また、特許文献２に記載のように、ブレーキペダルの踏み込みの緩和に伴うブレーキ力の低下（減少）があるとき、エンジンの再始動時に、必ず車輪ホールド手段による制動力の保持を継続すると、場合によってはエンジンの再始動後、迅速に発進することができない。
【０００６】
本発明は、自動停止したエンジンが再始動されて再発進する際に低コストで飛び出し感なく再発進できるようにし、しかも、基本的にはエンジンの再始動によって迅速に発進できるようにすることを目的とする。
【課題を解決するための手段】
【０００７】
上記した目的を達成するために、本発明のアイドルストップ車の制御装置は、少なくともブレーキ圧が所定値未満になることを再始動条件とし、該再始動条件の成立によりエンジンを再始動するアイドルストップ車の制御装置であって、エンジンを再始動する際に車輪にブレーキ力を付与するブレーキ制御手段を備え、前記ブレーキ制御手段は、エンジンを再始動する際に、ブレーキペダルが踏み込まれており、かつ、前記ブレーキ圧が前記所定値未満であって、エンジン回転数が所定回転数以上であれば、前記ブレーキ力の付与を所定期間延長し、ブレーキペダルが踏み込まれていなければ、前記ブレーキ力の付与を延長しないことを特徴としている（請求項１）。
【発明の効果】
【０００８】
請求項１の発明の場合、ブレーキ圧（マスタシリンダ圧）が所定値未満になることでエンジンを再始動する際には、ブレーキ圧が所定値未満になることだけでなく、ブレーキペダルが踏み込まれていることも条件の１つとしてブレーキ力（ホイールシリンダ圧）の付与が所定時間継続される。そのため、ドライバのブレーキペダルの踏み込みが緩和されて浅くなっていると把握できるときには、ドライバに対して意図せぬエンジンの再始動による飛び出し感を与えないようにブレーキをかけることができ、低コストにドライバに飛び出し感を与えないようにしてエンジンを再始動することができる。そして、ドライバがブレーキペダルからアクセルペダルに踏み替えると、上記のブレーキ力の付与の継続は行なわれなくなり、迅速に発進することができる。また、エンジン回転数が所定回転数以上であることもブレーキ力の付与が所定時間継続される条件としているので、飛び出し感を与えるほどの駆動力が現に発生していなければ、無駄にブレーキ力の付与の継続が行なわれることがない。そのため、好適に低燃費なアイドルストップ車を提供することができる。さらに、十分なブレーキ力でブレーキペダルが踏み込まれている状態からブレーキペダルが踏み込まれていない状態になった場合は、ドライバが意図したエンジンの再始動であり、ドライバが飛び出し感に違和感を感じないと考えられるため、ブレーキ力の付与が継続されず、迅速にエンジンを再始動して発進でき、かつ急激なヌケもない。
【０００９】
したがって、自動停止したエンジンが再始動されて再発進する際に低コストで飛び出し感なく再発進できるようにし、しかも、エンジンの再始動によって極力迅速に発進できる好適に低燃費なアイドルストップ車を提供することができる。
【図面の簡単な説明】
【００１０】
【図１】本発明の一実施形態のブロック図である。
【図２】図１の動作を説明するエンジン回転数等の時間変化の説明図であり、（ａ）はエンジン回連数の変化、（ｂ）は車速の変化、（ｃ）はマスタシリンダ圧の変化、（ｄ）はブレーキスイッチの変化、（ｅ）はホイールシリンダ圧の変化である。
【発明を実施するための形態】
【００１１】
つぎに、本発明をより詳細に説明するため、一実施形態について、図１及び図２を参照して詳述する。
【００１２】
図１は本発明が適用されるアイドルストップ車１の制御装置の構成を示し、２はブレーキペダル、３はブレーキペダル２の踏力がブレーキブースタ４を介して加わるマスタシリンダ、５はマスタシリンダ３に接続された配管、６は配管５に取り付けられた液圧センサであり、マスタシリンダ圧を検出する。７は液圧センサ６、ソレノイドバルブ群８を含むブレーキアクチュエータである。
【００１３】
ソレノイドバルブ群８はブレーキ液圧制御バルブ８ａを含む複数のソレノイドバルブで構成されている。ブレーキ液圧制御バルブ８ａは、配管５から分枝した例えば２系統の系統毎に設けられ、アイドルストップおよび、走行中のＥＳＣやＴＣＳのブレーキ制御に兼用され、本発明のブレーキ制御手段を形成する。９ＦＬ、９ＦＲはアイドルストップ車１の左、右前輪のシリンダ、９ＲＬ、９ＲＲはアイドルストップ車１の左、右後輪のシリンダであり、いずれもホイールシリンダを形成し、例えばブレーキ液圧制御バルブ８ａから伸びた一方の系統の配管１０ＦＬ、１０ＲＲに左前輪のシリンダ９ＦＬ、右後輪のシリンダ９ＲＲが接続され、ブレーキ液圧制御バルブ８ａから伸びた他方の系統の配管１０ＦＲ、１０ＲＬに右前輪のシリンダ９ＦＲ、左後輪のシリンダ９ＲＬが接続されている。
【００１４】
つぎに、アイドルストップ車１はＣＡＮ（Ｃｏｎｔｒｏｌ  Ａｒｅａ  Ｎｅｔｗｏｒｋ）等の車内ネットワーク１１が配設され、車内ネットワーク１１には、アイドルストップ制御ＥＣＵ（エコラン制御ＥＣＵ）１２、ブレーキアクチュエータ７内のブレーキ制御ＥＣＵ１３、エンジン制御ＥＣＵ１４、変速機制御ＥＣＵ１５等が接続され、ＥＣＵ１２〜１５は車内ネットワーク１１を介して情報をやり取りする。
【００１５】
各ＥＣＵ１２〜１５はマイクロコンピュータで形成され、エンジン制御ＥＣＵ１４は、エンジン（図示せず）のスロットル開度等を制御し、変速機制御ＥＣＵ１５はエンジンとトルクコンバータ（図示せず）を介して接続されるベルト式ＣＶＴ（図示せず）を制御する。アイドルストップ制御ＥＣＵ１２、ブレーキ制御ＥＣＵ１３は、詳細は後述するが、他のＥＣＵ等と同様に車載の１２Ｖのバッテリ１６から給電されて動作する。
【００１６】
アイドルストップ制御ＥＣＵ１２およびブレーキ制御ＥＣＵ１３について説明する。
【００１７】
アイドルストップ制御ＥＣＵ１２は、アイドルストップ車１の走行中等に車内ネットワーク１１を介した通信に基づいて液圧センサ６が検出したマスタシリンダ圧や車速等の情報を収集し、エンジンの自動停止制御、再始動制御を含むアイドルストップの制御を実行する。
【００１８】
そして、アクセルペダル（図示せず）からブレーキペダル２に踏み替えられ、車速が一定以下に低下する等の所定の自動停止条件（例えば、ストップランプが点灯してブレーキスイッチ１７がオンし、車速が７ｋｍ／ｈ以下、かつ、マスタシリンダ圧が０．４ＭＰ以上になる条件）が成立すると、アイドルストップ制御ＥＣＵ１２は、車内ネットワーク１１を介してブレーキ制御ＥＣＵ１３にブレーキ液圧保持要求を送ると同時に、エンジン制御ＥＣＵ１４にアイドルストップのエンジン停止要求を送る。このエンジン停止要求に基づき、エンジン制御ＥＣＵ１４がエンジンを自動停止する。なお、ブレーキペダル２が踏まれていることは、ブレーキスイッチ１７のオンにより検出される。車速は４輪の車輪速センサ１８により検出される。ブレーキスイッチ１７のオンオフ、車輪速センサ１８の検出車速の情報は、本発明の制御手段を形成するブレーキ制御ＥＣＵ１３に取り込まれ、ブレーキ制御ＥＣＵ１３から車内ネットワーク１１を介してアイドルストップ制御ＥＣＵ１２等に送られる。
【００１９】
さらに、ドライバがブレーキペダル２を踏み続けることにより、ブレーキ力がシリンダ９ＦＬ〜９ＲＲに付与され、アイドルストップ車１は減速して走行が停止し、アイドルストップの状態になる。
【００２０】
また、ブレーキ液圧保持要求を受信したブレーキ制御ＥＣＵ１３は、例えば走行停止後、ソレノイドバルブ群８のブレーキ液圧制御バルブ８ａを閉じてそのときのマスタシリンダ圧のブレーキ力を保持し、通常は、エンジンが再始動されるまで各シリンダ９ＦＬ〜９ＲＲに保持したブレーキ力を付与してヒルスタートの機能を発揮する。
【００２１】
つぎに、ブレーキペダル２からアクセルペダルに踏み替えられ、少なくともマスタシリンダ圧が所定値未満（例えば、０．１Ｍｐａ未満）になる等の所定の再始動条件が成立することにより、アイドルストップ制御ＥＣＵ１２は、車内ネットワーク１１を介してエンジン制御ＥＣＵ１４に再始動要求を送信し、自動的にエンジンを再始動する。この再始動のクランキング期間には、ブレーキ液圧制御バルブ８ａが閉じられて各車輪にブレーキ力が付与されるため、アイドルストップ車１の坂道発進等でのずり下がりが防止される。
【００２２】
ところで、エンジンを再始動する際には、ブレーキ制御ＥＣＵ１３は、ブレーキペダル２が踏みこまれており、かつ、液圧センサ６のマスタシリンダ圧が前記所定値未満であって、エンジン制御ＥＣＵ１４から得られるエンジン回転数が所定回転数（十分なクリープ力が発生する完爆状態の例えば５００ｒｐｍ）以上の状態であるか否かを判断する。
【００２３】
ブレーキペダル２が踏み込まれていれば、エンジンの再始動によってアイドルストップ車１のずり下がりや飛び出しが生じないようにする意思があることが分かる。マスタシリンダ圧が前記所定値未満になるということは、ドライバのブレーキペダルの踏み込みが緩和されて浅くなっていると把握でき、とくに平坦路ではエンジンの再始動によってアイドルストップ車１の飛び出しが生じ易いことが分かる。エンジン回転数が所定回転数以上であれば、エンジンの再始動によって飛び出しに十分なクリープ力が発生しつつあることが分かる。
【００２４】
そして、ブレーキ制御ＥＣＵ１３は、エンジンを再始動する際に、ブレーキペダル２が踏みこまれており、かつ、マスタシリンダ圧が所定値未満であって、エンジンが再始動で完爆状態に近づき、エンジン回転数が所定回転数以上になると、ドライバのブレーキペダルの踏み込みが緩和されて浅くなっており、平坦路ではエンジンの再始動によってアイドルストップ車１の飛び出しが生じ易いと判断し、ブレーキ液圧制御バルブ８ａの動作によるブレーキ力の付与を、通常は、エンジンの完爆により坂道でのずり下がりが防止されるようになるので、エンジンが完爆すると終了するところ、それから例えば１秒程度の所定期間継続して延長し、アイドルストップ車１の飛び出しを防止する。なお、実際には、エンジンの回転数が上昇してアイドルストップ車１は動き出すが、その動きを鈍くしてドライバに対するアイドルストップ車１の飛び出し感を緩和する。
【００２５】
ところで、ブレーキ力の付与の継続中にドライバがブレーキペダル２からアクセルペダルに踏み替えると、「ブレーキペダル２が踏み込まれている」に該当しなくなるので、ブレーキ制御ＥＣＵ１３は、ブレーキ力の付与の継続を直ちに終了する。その結果、迅速に発進することができる。なお、ドライバがブレーキペダル２からアクセルペダルに踏み替えることでエンジンの再始動を開始するときには、上記の要件が満たされないので、開始からブレーキ力の付与の継続は行なわれない。
【００２６】
図２はエンジンの自動停止後、エンジンを再始動する際に、前記のブレーキペダル２が踏みこまれており、かつ、マスタブレーキ圧が所定値未満であって、エンジン回転数が所定回転数以上である場合のエンジン回転数等の時間変化例を示し、（ａ）はエンジン回転数の変化、（ｂ）は車速の変化、（ｃ）はマスタシリンダ圧の変化、（ｄ）はブレーキスイッチの変化、（ｅ）はブレーキ力であるホイールシリンダ圧の変化である。
【００２７】
そして、図２の時刻ｔ１にエンジンが自動停止し、時刻ｔ２に走行が停止してアイドルストップの状態になり、その間の時刻ｔ３に、ドライバのブレーキペダル２の踏み込みが緩和されて浅くなり、ブレーキペダル２は踏み込まれているが、マスタシリンダ圧が０．１Ｍｐａ未満になると、所定の再始動条件が成立することにより、アイドルストップ制御ＥＣＵ１２がエンジン制御ＥＣＵ１４に再始動要求を送信し、エンジン制御ＥＣＵ１４がエンジンを再始動する。
【００２８】
そして、エンジンが完爆状態に近づき、時刻ｔ４にエンジン回転数が所定回転数のｒｐｍ以上になると、ブレーキ制御ＥＣＵ１３は、ブレーキ液圧制御バルブ８ａの動作によるブレーキ力の付与を、例えば１秒間継続して延長する。
【００２９】
その結果、シリンダ９ＦＬ〜９ＲＲのホイールシリンダ圧が、図２（ｅ）の延長しない場合の破線の変化から、同図（ｅ）の実線の変化に変わり、エンジンの完爆後も一定時間はブレーキがかかる。そこで、車速も、図２（ｂ）の延長しない場合の破線の変化から、同図（ｅ）の実線の変化に変わり、車速の上昇が通常より遅くなり、ドライバに対するアイドルストップ車１の飛び出し感が緩和される。
【００３０】
そして、本実施形態の場合、アイドルストップ中にマスタシリンダ圧（ブレーキ力）が所定値未満（０．１Ｍｐａ）になることでエンジンを再始動する際には、ブレーキ力が前記所定値未満になることだけでなく、ブレーキペダル２が踏み込まれていることも条件の１つとしてブレーキ液圧制御バルブ８ａのブレーキ力の付与が所定時間（例えば１秒）継続される。そのため、ドライバのブレーキペダル２の踏み込みが緩和されて浅くなっていると把握できるときには、ドライバに対して意図せぬエンジンの再始動による飛び出し感を与えないようにブレーキをかけることができ、低コストにドライバに飛び出し感を与えないようにして発進できる。また、ドライバがブレーキペダルからアクセルペダルに踏み替えると、上記のブレーキ力の付与の継続は行なわれなくなり、迅速に発進することができる。また、エンジン回転数が所定回転数（５００ｒｐｍ）以上であることもブレーキ力の付与が前記所定時間継続される条件としているので、飛び出し感を与えるほどの駆動力（クリープ力）が現に発生していなければ、無駄にブレーキ力の付与の継続が行なわれることがない。そのため、好適に低燃費なアイドルストップ車１を提供することがでる。さらに、十分なブレーキ力でブレーキペダルが踏み込まれている状態からブレーキペダルが踏み込まれていない状態になった場合（ブレーキスイッチがオフ）、ドライバが意図したエンジンの再始動であり、ドライバが飛び出し感に違和感を感じないと考えられるため、ブレーキ力の付与が継続されず、エンジンを再始動してより迅速に発進でき、かつ急激なヌケも生じない。
【００３１】
したがって、本実施形態の場合、自動停止したエンジンが再始動されて再発進する際に低コストで飛び出し感なく再発進できるようにし、エンジンの再始動によって極力迅速に発進できる好適に低燃費なアイドルストップ車を提供することがでる。
【００３２】
そして、本発明は上記した実施形態に限定されるものではなく、その趣旨を逸脱しない限りにおいて上述したもの以外に種々の変更を行なうことが可能であり、例えば、ブレーキアクチュエータ７の構成やアイドルストップ制御ＥＣＵ１２、ブレーキ制御ＥＣＵ１３等の構成、制御手法等は、前記実施形態のものに限るものではない。
【００３３】
さらに、ブレーキ力についての所定値未満、エンジン回転数についての所定回転数、ブレーキ力の付与を継続する所定期間等は、それぞれエンジンやリレーの特性等に基づいて適当に設定すればよく、前記実施形態で説明した数値に限るものではない。
【００３４】
そして、本発明は、種々のアイドルストップ車のエンジンの再始動時の制御に適用することができる。
【符号の説明】
【００３５】
１    アイドルストップ車
７    ブレーキアクチュエータ
８ａ    ブレーキ液圧制御バルブ
１２    アイドルストップ制御ＥＣＵ
１３    ブレーキ制御ＥＣＵ
【図１】
0005729958.tif 000002
【図２】
0005729958.tif 000003